(57)【要約】【課題】ＤＶＤなどにカラオケを記録する技術が知られているが、通常はそのための機器が必要である。また同じ曲を何度も歌った場合には、すべてを記録しておくとデータが膨大になる。【解決手段】ＤＶＤ記録装置を備えたテレビジョンなどの表示装置内にカラオケ用の仕組みを組み込み、テレビジョンのみでカラオケを記録することができる。また、カラオケデータを一時的に記録する際に、映像データは１度しか記録せず、同じ曲の場合にはそれ以降は音声データのみを記録する。【選択図】図２
2008292931.tif 000002
【特許請求の範囲】
【請求項１】
伴奏音声データと歌詞データと映像データを記憶したカラオケデータ記憶媒体に記憶された伴奏音声データを再生する再生手段と、
上記カラオケデータ記憶媒体に記憶された歌詞データと映像データを表示する表示手段と、
歌唱者の歌唱音声を入力する音声入力手段と、
上記再生手段により再生される伴奏音声と、上記音声入力手段により入力される歌唱音声とを合成して合成音声データとして出力する音合成手段と、
上記カラオケデータ記憶媒体にある曲からカラオケ演奏をする曲を選択する選曲手段と、を備える表示装置であって、
上記歌詞データと映像データを記録する映像記録手段と、
上記音合成手段で合成された音声データを記録する音声記録手段と、を備えることを特徴とする表示装置。
【請求項２】
上記選曲手段によって選択された曲が、既に上記映像記録手段に記録されているかどうかを検知する検知手段を備えており、
上記検知手段で、選択された曲が記録されていないと検知された場合には、音声データを上記音声記録手段に記録すると同時に、歌詞データと映像データを上記映像記録手段に記録し、選択された曲が既に記録されていると検知された場合には、音声データのみを上記音声記録手段に記録し、
上記音声記録手段に記録された音声データと、上記映像記録手段の映像データと歌詞データを合成してＤＶＤに記録するＤＶＤ記録手段を備えることを特徴とする表示装置。
【請求項３】
上記再生手段から再生される音声の逆位相の信号を生成する信号生成手段と、
上記音声入力手段から入力された歌唱音声信号に、上記信号生成手段で生成された信号を重ねて合成処理する合成処理手段とを備えており、
上記合成処理手段で合成された伴奏信号を上記音声記録手段にて記録することを特徴とする請求項１に記載の表示装置。
【請求項４】
上記音声記録手段に記憶された音声データが複数ある場合に、ＤＶＤに記録する音声データをユーザが選択するための選択手段を備えることを特徴とする請求項１〜請求項３のいずれかに記載の表示装置。
【請求項５】
歌唱音声を採点するための採点手段を備えており、
上記音声記録手段に記録された音声データが複数ある場合に、ＤＶＤに記録する音声データを上記採点手段で得点に基づいて選択することを特徴とする請求項１〜請求項３のいずれかに記載の表示装置。
【請求項６】
上記カラオケデータ記憶媒体がＤＶＤであって、
上記再生手段がテレビジョンの付属のスピーカであって、
上記表示手段がテレビジョンのディスプレイであって、
上記音声入力手段がテレビジョンの音声端子に接続されたマイクであって、
上記音合成手段がテレビジョン内にあるオーディオミキサであって、
上記映像記録手段と上記音声記録手段がテレビジョン内にあるＲＡＭであって、
曲を選択した際、ＲＡＭ内にある記憶された映像に同じ曲があるかどうかを判別し、同じ曲がある場合には、音声データのみを記憶し、同じ曲がない場合には、音声データと映像データを別々に保存し、
同音声データを記録する際には、上記再生手段から再生される音声の逆位相の信号を歌唱音声信号に重ねて合成処理し、
上記ＤＶＤ記録手段に、ＤＶＤに記録する命令がリモコン等の操作部から与えられると、同じ曲について２つ以上音声データがあるかどうかを確認し、音声データが２つ以上ある場合には、ユーザにどの音声データをＤＶＤに記録するか選択をするためのメニューをディスプレイに表示し、ユーザの選択指示に従い、ユーザの選択した音声データと映像データと歌詞データを合成してＤＶＤに記録することを特徴とする請求項１に記載の表示装置。
【発明の詳細な説明】
【技術分野】
【０００１】
この発明は、カラオケ機能を備えた表示装置に関する。 
【背景技術】
【０００２】
従来、カラオケボックスなどに置かれているカラオケ機器において、自分の歌唱データをＣＤやＤＶＤに記録したいという要望にこたえるため、カラオケで歌唱した歌唱音声を付属機器で録音してＣＤに記録したり、ＤＶＤに記録したりする技術が広く知られている。 
【０００３】
例えば、特許文献１では、内蔵されたイントロ画像データと、ビデオカメラで撮影された歌唱者の画像データと、オーディオミキサからの伴奏映像と歌唱者との合成音声等をＤＶＤに記録する技術が開示されている。
【０００４】
また、特許文献２及び特許文献３では、ＤＶＤに記録された再生音声データを歌い手の音声データとミキシング処理をして、カラオケを楽しめるようにする技術が開示されている。
【特許文献１】特開２００３−１９５８７６号公報
【特許文献２】特開２００５−２３４５６５号公報
【特許文献３】特開２０００−１４８１６３号公報
【発明の開示】
【発明が解決しようとする課題】
【０００５】
上記特許文献1では、ビデオカメラで撮影した映像データを合成するもので、カラオケ機器や表示装置のほかに、ビデオカメラも必要となり、ＤＶＤへの録音が大掛かりなものとなり、簡単な機械では実現できない。 
上記特許文献２や上記特許文献３では、歌い手の音声とＤＶＤに記録されたカラオケの音声とをミキシングしてカラオケを楽しむものであるが、カラオケ映像及び歌唱者の音声をＤＶＤなどに記録するものではない。
【０００６】
この発明は、こうした実情に鑑みてなされたものであり、表示装置の他には、様々な機器を必要としないカラオケ音声および映像データを記録する表示装置の提供を目的とする。 
【課題を解決するための手段】
【０００７】
上記目的を達成するために、主たる発明の表示装置は、伴奏音声データと歌詞データと映像データを記憶したカラオケデータ記憶媒体に記憶された伴奏データを再生する再生手段と、上記カラオケデータ記憶媒体に記憶された歌詞データと映像データを表示する表示手段と、歌唱者の歌唱音声を入力する音声入力手段と、上記再生手段により再生される伴奏音声と、上記音声入力手段により入力される歌唱音声とを合成して合成音声データとして出力する音合成手段と、上記カラオケデータ記憶媒体にある曲からカラオケ演奏をする曲を選択する選曲手段と、を備える表示装置であって、上記歌詞データと映像データを記録する映像記録手段と、上記音合成手段で合成された音声データを記録する音声記録手段と、を備える構成としてある。 
本発明の他の特徴については、本明細書及び添付図面の記載により明らかにする。 
【発明を実施するための最良の形態】
【０００８】
本明細書及び添付図面の記載により、少なくとも、以下の事項が明らかとなる。 
【０００９】
上記主たる発明の構成によれば、テレビジョンなどの表示装置で、選曲手段によってカラオケ曲が選曲されると、ＤＶＤなどのカラオケデータ記憶媒体を再生する。再生された映像データ及び歌詞データは表示手段に出力される。また、再生された伴奏データは音合成手段に送られ、音声入力手段から入力された歌唱音声と合成されて、出力される。表示手段に表示される歌詞データと映像データは、映像記録手段に記録され、音合成手段で合成された音声データは音声記録手段に記録される。映像記録手段や音声記録手段はＤＶＤなどの媒体に直接記録してもよいし、表示装置に備えられた一時記憶手段を用いてもよい。
【００１０】
このように構成すると、表示装置の中に、カラオケに必要な機能をすべて備えることができるようになる。なお、ここでカラオケデータ記録媒体は、ＤＶＤなどから再生されるデータを読み込んだものでもよいし、ケーブルテレビなどのカラオケ専門チャンネルから記録したものでもよい。 
【００１１】
上記表示装置の一例として、上記選曲手段によって選択された曲が、既に上記映像記録手段に記録されているかどうかを検知する検知手段を備えており、上記検知手段で、選択された曲が記録されていないと検知された場合には、音声データを上記音声記録手段に記録すると同時に、歌詞データと映像データを上記映像記録手段に記録し、選択された曲が既に記録されていると検知された場合には、音声データのみを上記音声記録手段に記録し、上記音声記録手段に記録された音声データと、上記映像記録手段の映像データと歌詞データを合成してＤＶＤに記録するＤＶＤ記録手段を備える構成としてもよい。
【００１２】
このように構成すると、曲が選択されると、検知手段は、映像記録手段に選択された曲の映像データが含まれているかどうかを検知する。選択された曲が記録されていないと検知された場合には、音声データを音声記録手段に記録し、同時に映像データなどを映像記憶手段に記録する。また、選択された曲が記録されている場合には、音声データのみを音声記録手段に記録する。そして、ＤＶＤなどの媒体に記録する際には、音声データと映像データを合成して記録する。
【００１３】
なお、ここでは同じ曲が記録されているかどうかを判断するために、映像データを用いたが、音声データで検知するようにしてもよい。
このような構成では、同じ曲を何度も歌っている場合に、映像データもその都度記録するのに比べて、データの大きさが小さくなるため、少ない記録領域であっても何回も記録しておくことができる。 
【００１４】
上記表示装置の一例として、上記再生手段から再生される伴奏音声の逆位相の信号を生成する信号生成手段と、上記音声入力手段から入力された歌唱音声信号に、上記信号生成手段で生成された信号を重ねて合成処理する合成処理手段とを備えており、上記合成処理手段で合成された信号を上記音声記録手段にて記録するようにしてもよい。 
【００１５】
このような構成にすると、音声入力信号から入力された歌唱音声信号と、信号生成手段で生成された逆位相の信号と、伴奏データの信号を重ねて合成処理し、その合成処理された音声データを音声記録手段に記録する。
このような構成では、マイクなどの音声入力手段から歌唱音声とともに入力された、カラオケの伴奏音声をカットすることができる。
【００１６】
上記表示装置の一例として、上記音声記録手段に記憶された音声データが複数ある場合に、ＤＶＤに記録する音声データをユーザが選択するための選択手段を備えるようにしてもよい。 
このように構成すると、ＤＶＤに記録する際に、ユーザが複数ある音声データの中から選択手段によって、ＤＶＤに記録する音声データを選ぶ。
このような構成にすることで、同じ曲を何度か歌った場合に、気に入ったものだけを選択してＤＶＤに記録することができる。
【００１７】
上記表示装置の一例として、歌唱音声を採点するための採点手段を備えており、上記音声記録手段に記録された音声データが複数ある場合に、ＤＶＤに記録する音声データを上記採点手段で得点に基づいて選択するようにしてもよい。 
このように構成すると、採点手段で採点された音声データを、ＤＶＤに記録する際に、得点に基づいて音声データを選択し、ＤＶＤに記録する。
このような構成にすることで、同じ曲を何度か歌った場合などに、点数の良いものなどだけをＤＶＤに記録することができる。 
【００１８】
また、更に具体的な構成として、上記カラオケデータ記憶媒体がＤＶＤであって、上記再生手段がテレビジョンの付属のスピーカであって、上記表示手段がテレビジョンのディスプレイであって、上記音声入力手段がテレビジョンの音声端子に接続されたマイクであって、上記音声合成手段がテレビジョン内にあるオーディオミキサであって、上記映像記録手段と上記音声記録手段がテレビジョン内にあるＲＡＭであって、曲を選択した際、ＲＡＭ内にある記憶された映像に同じ曲があるかどうかを判別し、同じ曲がある場合には、音声データのみを記憶し、同じ曲がない場合には、音声データと映像データを別々に保存し、同音声データを記録する際には、上記再生手段から再生される音声の逆位相の信号を歌唱音声信号に重ねて合成処理し、上記ＤＶＤ記憶手段に、ＤＶＤに録音する命令がリモコン等の入力装置から与えられると、同じ曲について２つ以上音声データがあるかどうかを確認し、音声データが２つ以上ある場合には、ユーザにどの音声データをＤＶＤに記録するか選択をするためのメニューをディスプレイに表示し、ユーザの選択指示に従い、ユーザの選択した音声データと映像データと歌詞データを合成してＤＶＤに記録する構成としても良い。 
更に具体的に構成された上記発明では、上述した各構成と同様の効果を奏することはいうまでもない。 
【００１９】
以下、添付図面にもとづいて、本発明をカラオケ機能付きのテレビジョンにおいて具現化した実施例について説明する。 
【００２０】
図１は、本実施例におけるテレビジョン１００の概略構成を説明するブロック図である。なお、当該テレビジョン１００について、本願発明と直接関連しない構造については、詳細な説明、及び図示を省略する。 
【００２１】
同図において、テレビジョン１００は、テレビジョン１００全体及びカラオケ動作を制御するＣＰＵ１０と、プログラムなどが記録されているＲＯＭ１３と、映像データや音声データやその他一時的なデータを記録するＲＡＭ１４と、選曲したりメニュー画面での選択をしたりする操作部１５と、オーディオミキサ２０と、音声を出力するスピーカ２１と、歌唱音声を入力するマイク２２と、歌詞データや映像データを処理する映像処理部３０と、映像処理部３０で処理された映像を表示するディスプレイ３１と、ＤＶＤ再生部４０と、ＤＶＤ記録部５０を備えている。 
【００２２】
操作部１５は、カラオケを開始したり、カラオケの選曲手段として働いたり、ＤＶＤへの記録を指示したり、ＤＶＤに記録する音声データの選択手段として機能する。操作部１５はテレビジョン１００の本体上に設けられていてもよいし、リモコン上に設けられていてもよい。リモコンの場合には、テレビジョンのリモコン内にカラオケ用のメニューがあってもよいし、カラオケ用の専用リモコンであってもよい。
【００２３】
上記構成において、カラオケを行う際には、ユーザによって操作部１５にて曲などが選択され、その情報に基づいて、ＣＰＵ１０がＤＶＤ再生部４０に選択された曲を再生するように命令をする。ＤＶＤ再生部４０にセットされたＤＶＤには、カラオケデータ記録媒体として、カラオケ用の伴奏音声データや、歌詞データ及び映像データが記録されている。
【００２４】
なお、ここでは、カラオケデータ記憶媒体としてＤＶＤを用いており、ＤＶＤ再生部４０にてカラオケのデータが読み込まれる形としているが、カラオケのデータはケーブルテレビなどで放送されたり、インターネットなどで配信されたりしたものをテレビジョン１００に一時的に記憶して利用しても良い。
【００２５】
ＤＶＤ再生部４０は、ＤＶＤを再生し、伴奏音声を、音合成手段であるオーディオミキサ２０に出力する。オーディオミキサ２０は、歌唱音声の音声入力手段であるマイク２２から入力された歌唱音声と伴奏音声とを合成するものであり、合成した合成音声データをアナログ音声に変換してスピーカ２１に出力する。なお、この際後述するように伴奏音声を元に生成した伴奏音声の逆位相の信号をあわせて合成するようにしてもよい。また、ＤＶＤ再生部４０は、再生して得られたＤＶＤに記録されている歌詞データと映像データを、映像処理部３０に出力し、映像処理部３０は、歌詞データと映像データを処理し、ディスプレイ３１に出力する。
【００２６】
ＲＡＭ１４は、一時記憶媒体であって、オーディオミキサ２０おいて合成された伴奏音声と、歌唱音声の合成音声データを記録する音声記録手段として機能する。また、ＲＡＭ１４は、映像処理部３０にて処理された映像データと歌詞データを記録する映像記録手段として機能する。
【００２７】
ＤＶＤ記録部５０は、ＲＡＭに記録された映像データと歌詞データ及び音声合成データを、操作部１５の操作により、ＤＶＤに記録する。
【００２８】
図２は、本実施例におけるカラオケデータの記録時のフローチャートである。 
ステップＳ１１０にて、カラオケ曲を選択すると、ＣＰＵ１０にその曲のデータが入力される。ＣＰＵ１０は、ＤＶＤ再生部４０から曲のデータを受け取り、オーディオミキサ２０及び映像処理部３０にそのデータを送る。
【００２９】
ＣＰＵ１０は、ステップＳ１１１で、選択された曲の映像データが、ＲＡＭ１４に既に記録されているかどうかを判断する。ステップＳ１１１で、既に同じ曲の映像データが記録されていると判断すると、ステップＳ１１２で、オーディオミキサ２０にて合成した音声データのみをＲＡＭ１４に記録する。ステップＳ１１１で、同じ曲の映像データが記録されていないと判断すると、映像処理部３０で処理された映像データとオーディオミキサ２０で合成した音声データをＲＡＭ１４にそれぞれ記録する。曲が終了すると、記録処理を終了する。
【００３０】
なお、ＲＡＭ１４に記録される音声データ及び映像データや歌詞データには曲名や記録時間などのそのデータに関する情報が保持されている。歌唱音声を採点するための採点手段としてのプログラムを備えている場合には、歌唱音声の採点結果も音声データに記録される。
【００３１】
図３は、本実施例におけるカラオケ音声のＤＶＤへの記録時のフローチャートである。
ステップＳ１２０にて、操作部１５よりＤＶＤへの記録が選択されると、ステップＳ１２１にて、ＲＡＭ１４に記録されている曲の曲名がディスプレイ３１に表示され、選択された曲が操作部１５に入力される。ステップＳ１２２にて、該当曲に対して音声データがＲＡＭ１４に複数記録されているか判断される。複数の音声データが存在する場合には、ステップＳ１２３にて、図４のような曲の音声データの選択メニューがディスプレイ３１に表示される。ステップＳ１２４にて、表示された中から、操作部１５に選択内容が入力されたと判断すると、ステップＳ１２５にて、選択された音声データと映像データ及び歌詞データが合成されて、ＤＶＤ記録部５０にセットされた書き込み可能なＤＶＤに書き込まれる。ステップＳ１２２にて、該当曲に対して音声データが１つしかないと判断された場合には、その音声データが映像データおよび歌詞データと合成されてステップＳ１２５にて、ＤＶＤ記録部５０にセットされた書き込み可能なＤＶＤに書き込まれる。
【００３２】
なお、図４では、選択する際の参考として、点数が表示されているが、このような点数は表示してもしなくてもよい。歌唱した時刻など、選択する際の目安となるものが表示されればよい。
【００３３】
図５は、歌唱音声信号、伴奏音声信号、伴奏音声信号の逆位相の信号の簡易的なモデル図である。
マイク２２から入力される音声信号は、歌唱者の歌唱音声の他に、スピーカ２１から出力される伴奏音声も含まれてしまう。そのため、図に示される歌唱音声信号と伴奏音声信号の合成信号がマイクから入力されることになる。このスピーカ２１から出力される伴奏音声を、マイク２２から入力される歌唱音声信号からカットするために、図で示すような伴奏音声信号の逆位相の信号を図示しないアンプ等にて生成し、それをオーディオミキサ２０に入力する。オーディオミキサ２０は、歌唱音声信号と逆位相の信号を合成し、更に伴奏音声信号を合成する。
このようにすることで、歌唱者の歌唱音声信号のみをマイク２２の入力信号からとりだす。
【００３４】
次に操作例について説明する。
まず、歌唱している際の合成音声データなどの記録について説明する。
初めて歌う曲の場合について説明する。ユーザが操作部１５に、カラオケの曲が選択すると、ステップＳ１１０で、ＣＰＵ１０は曲が選択されたことを検知し、ＤＶＤ再生部４０に選択された曲を再生するよう命令を生成しＤＶＤ再生部４０に出力する。ＤＶＤ再生部４０は、ＤＶＤを読み込み、伴奏音声データなどが再生し、オーディオミキサ２０及び映像処理部２０に出力する。それと同時にＣＰＵ１０は、ステップＳ１１１で、ＲＡＭ１４に同じ曲の映像データが記録されているかどうかを検知する。ここでは、初めて歌う曲なので、ＣＰＵ１０は、同じ曲が記録されていないことを検知し、ステップＳ１１３で、映像データ及び歌詞データと合成音声データがＲＡＭ１４に記録される。
【００３５】
２回目以降に歌う曲の場合について説明する。ユーザが操作部１５に、カラオケの曲が選択すると、ステップＳ１１０で、ＣＰＵ１０は曲が選択されたことを検知し、ＤＶＤ再生部４０に選択された曲を再生するよう命令を生成しＤＶＤ再生部４０に出力する。ＤＶＤ再生部４０は、ＤＶＤを読み込み、伴奏音声データなどが再生し、オーディオミキサ２０及び映像処理部２０に出力する。それと同時にＣＰＵ１０は、ステップＳ１１１で、ＲＡＭ１４に同じ曲の映像データが記録されているかどうかを検知する。ここでは、初めて歌う曲なので、ＣＰＵ１０は、同じ曲が記録されていることを検知し、ステップＳ１１２で、オーディオミキサ２０で合成された合成音声データのみがＲＡＭ１４に記録される。
【００３６】
このように、カラオケが記録された後、ユーザがＤＶＤにカラオケ音声を記録する場合について説明する。
録音する曲を１回しか歌っていない場合について説明する。まず、操作部１５を用いてユーザが記録を開始することを選択すると、ＣＰＵ１０はステップＳ１２０で同操作部１５の操作出力を入力し、ＤＶＤ記録が選択されたことを検知する。するとＣＰＵ１０は、ステップＳ１２１で曲の選択画面を表示するので、ユーザが同操作部１５を使って曲を選択する。ＣＰＵ１０は同操作部１５の操作状況を監視しており、ユーザの曲選択を検知すると、ステップＳ１２２で、ＣＰＵ１０は、ＲＡＭ１４に複数の音声データがあるかどうかを判断する。この場合には、１回しか歌っていないため、複数の音声データがなく、ステップＳ１２５で、ＤＶＤ記録部５０にセットされたＤＶＤに記録する。
【００３７】
録音する曲を複数回歌っている場合について説明する。まず、操作部１５を用いてユーザが記録を開始することを選択すると、ＣＰＵ１０はステップＳ１２０で同操作部１５の操作出力を入力し、ＤＶＤ記録が選択されたことを検知する。するとＣＰＵ１０は、ステップＳ１２１で曲の選択画面を表示するので、ユーザが同操作部１５を使って曲を選択する。ＣＰＵ１０は同操作部１５の操作状況を監視しており、ユーザの曲選択を検知すると、ステップＳ１２２で、ＣＰＵ１０は、ＲＡＭ１４に複数の音声データがあるかどうかを判断する。この場合には、複数の音声データが見つけられるため、ステップＳ１２３で、図４のような選択画面をディスプレイ３１に表示し、ユーザの選択を待つ。ユーザが操作部１５に対して選択の指示をすると（ステップＳ１２４）、選択された音声データと映像データと歌詞データをステップＳ１２５で、ＤＶＤ記録部５０にセットされたＤＶＤに記録する。
【００３８】
以下本発明の歌唱データのＤＶＤへの記録方法の変形例について説明する。
図６は、変形例におけるカラオケ音声のＤＶＤへの記録時のフローチャートである。
本変形例においては、歌唱データを採点するプログラムを備えており、音声データにその採点結果が記録されている。なお、ステップＳ１２０〜ステップＳ１２２及びステップＳ１２５については、実施例中の説明と同じであるため省略する。
【００３９】
ステップＳ１２２において、該当曲に対して音声データが複数ある場合には、ステップＳ１２６にて、その音声データに記録されている歌唱音声の採点結果を比較し、得点が最も高いものを選択する。そして、ステップＳ１２５にて、ステップＳ１２６にて最も得点が高いと判断された音声データとその曲の映像データを合成してＤＶＤに記録する。
なお、ここでは最も得点の高いものを録音するようにしているが、点数の基準を設けて、基準以上のものを録音する設定としても良い。
【００４０】
次に、変形例における操作例について説明する。
録音する曲を１回しか歌っていない場合について説明する。まず、ユーザが記録を開始することをステップＳ１２０で、操作部１５を用いて選択する。するとステップＳ１２１の曲の選択画面になり、ユーザが曲を選択する。曲が選択をすると、ステップＳ１２２で、ＣＰＵ１０は、ＲＡＭ１４に複数の音声データがあるかどうかを判断する。この場合には、１回しか歌っていないため、複数の音声データがなく、ステップＳ１２５で、ＤＶＤ記録部５０にセットされたＤＶＤに記録する。
【００４１】
録音する曲を複数回歌っている場合について説明する。まず、ユーザが記録を開始することをステップＳ１２０で、操作部１５を用いて選択する。するとステップＳ１２１の曲の選択画面になり、ユーザが曲を選択する。曲が選択をすると、ステップＳ１２２で、ＣＰＵ１０は、ＲＡＭ１４に複数の音声データがあるかどうかを判断する。この場合には、複数の音声データが見つけられるため、ステップＳ１２６で、記録された音声データの採点記録から、最も点数が高い音声データを選択し、選択された音声データと映像データと歌詞データをステップＳ１２５で、ＤＶＤ記録部５０にセットされたＤＶＤに記録する。
【００４２】
このように、上記実施例によれば、テレビジョン１００に内蔵されたカラオケ機能で、カラオケ音声のＤＶＤへの記録を行い、複数回同じ曲を歌った場合には、音声データのみを毎回記録し、その中から選択されたものとその曲の映像データと歌詞データをＤＶＤに記録する。 
【００４３】
なお、本発明は上記実施例に限られるものでないことは言うまでもない。当業者であれば言うまでもないことであるが、 
・上記実施例の中で開示した相互に置換可能な部材および構成等を適宜その組み合わせを変更して適用すること 
・上記実施例の中で開示されていないが、公知技術であって上記実施例の中で開示した部材および構成等と相互に置換可能な部材および構成等を適宜置換し、またその組み合わせを変更して適用すること 
・上記実施例の中で開示されていないが、公知技術等に基づいて当業者が上記実施例の中で開示した部材および構成等の代用として想定し得る部材および構成等と適宜置換し、またその組み合わせを変更して適用すること 
は本発明の一実施例として開示されるものである。 
【図面の簡単な説明】
【００４４】
【図１】本実施例のテレビジョンのブロック図である。
【図２】本実施例の歌唱時の音声データの記録時のフローチャートである。
【図３】本実施例のＤＶＤへの記録時のフローチャートである。
【図４】本実施例のＤＶＤへの記録時の選択画面の図である。
【図５】本実施例の音声データの位相図である。
【図６】変形例のＤＶＤへの記録時の選択画面の図である。
【符号の説明】
【００４５】
１０…ＣＰＵ、１３…ＲＯＭ、１４…ＲＡＭ、１５…操作部、２０…オーディオミキサ、２１…スピーカ、２２…マイク、３０…映像処理部、３１…ディスプレイ、４０…ＤＶＤ再生部、５０…ＤＶＤ記録部、１００…テレビジョン
【図１】
2008292931.tif 000003
【図２】
2008292931.tif 000004
【図３】
2008292931.tif 000005
【図４】
2008292931.tif 000006
【図５】
2008292931.tif 000007
【図６】
2008292931.tif 000008